(57)【要約】【課題】屋根ふき用パネルの、風の吹き上げに対する保持力を高め、上段のパネルと下段のパネルの重合量を少なくして、屋根工費を低減する。【解決手段】横方向に配置されるパネル相互を連結板７で連結する。下段パネル１Ａ，１Ｂの上縁部上面に上段のパネル１Ｃ，１Ｄの下縁部を重合する。下段のパネルと上段のパネル間に止着具１０を配置し、該止着具１０の打込み部１０ｂを屋根下地に固定し、フック部１０ｃにより上段のパネルの下側縁を係止する。【選択図】図３
2006348547.tif 000002
【特許請求の範囲】
【請求項１】
一方のパネルの横方向における一側の下面に、排水路を形成する連結板の他側を固着し、該連結板の一側に他方のパネルにおける他側の下面を固着して連結し、このようにして連結された下段側のパネル列の上縁側上面に、上段側のパネル列の下縁側下面を重合する屋根ふき用パネルの取付構造において、
下段側のパネルの上縁側外において屋根下地に固定する打込み部と、下段パネルと上段パネル間に挿通する挿通部と、該挿通部の先部に設けたフック部を有する止着具を用いて、該止着具の打込み部を屋根下地に固定し、フック部に上段側のパネルの下側縁を係止するようにしたことを特徴とする屋根ふき用パネルの取付け構造。
【発明の詳細な説明】
【技術分野】
【０００１】
本発明は屋根ふき用パネルの取付構造に関する。
【背景技術】
【０００２】
家屋の屋根ふき材として一般に天然産の玄昌石板等からなる天然スレートが使用されている。この天然スレートは耐久、耐火、耐水性を有し軽量でかつ外観もよくすぐれた屋根ふき材である。
【０００３】
この天然スレートは、搬送、取扱い等の上から、一般に縦横の寸法が２００ｍｍ程で、所望の平面形状に形成されている。そのため、この天然スレートを使用して屋根をふく場合には、従来、この天然スレートを１枚１枚所定の重ねとふき足をとりつつ野地板等に釘打ちしてふいていた。
【０００４】
この従来のふき方を図５により説明すると、屋根の野地板１０１上にルーフィング２を張り、そのルーフィング２上に軒先部のふき材１０３を多数枚横方向（屋根の流れ方向に直交する方向）に連接して配置し、釘１０４で野地板１０１に固定する。次で、上段のふき材１０５を所定の重ねＬ1 とふき足Ｌ2 をとって上記軒先部のふき材１０３上に重ね、また、この上段においても多数のふき材１０５を横方向に配置して連設する。尚、隣接するふき材間の目地部１０６の位置は、上段と下段とでは図５に示すようにずらしている。そして、上記のようなふき作業をくり返して多数枚のふき材により屋根の全面をふく。
【０００５】
上記従来のふき工法においては、横方向に隣接するふき材が相互に連結されておらず、しかも各ふき材１０３は、その上側端のみ釘止めされ下側端は自由端になっているため、強風が屋根の下流から上流へ吹いた場合には、各ふき材がめくり剥れやすい。
【０００６】
また、雨水の浸入を防止するために、ふき材を３層重ねにする必要がある。このように３層重ねにすると、天然スレートの使用量が多くなってコスト高になる。
【０００７】
このような問題を解決するために、本出願人は先に、図６及び図７に示すようなパネルを特許文献１により提案した。
【０００８】
このパネル２０１は、その一側の裏面に、両面接着シート２０２によって連結板２０３を突出させて設け、該連結板２０３の両側端に水返し２０４を形成している。
【０００９】
そして、図７に示すように、先ずパネル２０１Ａを、その上側に形成した釘穴２０５を通じて釘により、屋根の野地板に止め、次に、このパネル２０１Ａの連結板２０３側に他のパネル２０１Ｂを両面接着シート２０２で接着連結し、そのパネル２０１Ｂを釘で野地板に止める。
【００１０】
このようにして、屋根の流れ方向を直交する方向（横方向）に必要枚のパネルを一列に固定する。
【００１１】
次に、上記の列により上段のパネルを、その下縁側の下面を、下列のパネルの上縁部の上面に重合するようにして配置し、前記と同様に釘で野地板に止める。
【００１２】
このように各パネルをふくことにより、横列方向のパネル相互が両面シート２０２で連結されていることと、上段と下段のパネルが重合していることにより、パネルが下からの風によって浮き上がることを抑制し、パネルの重ね寸法を短くして、パネルの使用量を低減することができる。
【特許文献１】特許２６０７８５０号公報
【発明の開示】
【発明が解決しようとする課題】
【００１３】
前記特許文献１においては、上段と下段のパネル相互の重ね寸法を短くすることができるが、各パネルの下端縁は野地板側には固定されていないため、不安定で、強風時には、パネルの下端縁側が浮き上がるおそれがある。
【００１４】
そこで本発明は、前記特許文献１の効果を発揮し、かつ、パネルの下端縁側の浮き上がりを一層防止する屋根ふき用パネルの取付構造を提案することを目的とするものである。
【課題を解決するための手段】
【００１５】
前記の課題を解決するために、本発明は、一方のパネルの横方向における一側の下面に、排水路を形成する連結板の他側を固着し、該連結板の一側に他方のパネルにおける他側の下面を固着して連結し、このようにして連結された下段側のパネル列の上縁側上面に、上段側のパネル列の下縁側下面を重合する屋根ふき用パネルの取付構造において、
下段側のパネルの上縁側外において屋根下地に固定する打込み部と、下段パネルと上段パネル間に挿通する挿通部と、該挿通部の先部に設けたフック部を有する止着具を用いて、該止着具の打込み部を屋根下地に固定し、フック部に上段側のパネルの下側縁を係止するようにしたことを特徴とするものである。
【００１６】
本発明においては、横方向に隣接するパネル相互が連結されていることにより、風によるパネルの浮き上がりに対しては、浮き上がるパネルに対して、これに連結されたパネルの荷重が作用し、また、下段のパネルの上縁部に上段のパネルの下縁部が重合していることにより、風による下段のパネルの浮き上がりに対して上段のパネルの荷重が作用し、更に、各パネルの下縁部を止着具により屋根下地に保持したことにより、この止着具によってパネルの浮き上がりが阻止される。
【００１７】
したがって、上記の２つの荷重と止着具による保持との協働により、各パネルにおいて、風の吹き上げに対する吹き上げ阻止力を大きくすることができる。
【発明の効果】
【００１８】
本発明によれば、各パネルにおいて、風の吹き上げに対する各パネルの浮き上がり阻止力、すなわち、パネルの保持力を大きくすることができる。
【００１９】
このように、各パネルの保持力を大きくできることは、下段のパネルと上段のパネルとの重合量を少なくして、屋根全面でのパネルの使用量を少なくして、工費の低減化を図ることができる。
【発明を実施するための最良の形態】
【００２０】
本発明の最良の形態を図１乃至図４に示す実施例に基づいて説明する。
１はふき材であるパネルで、例えば玄晶石等の天然石からなる天然スレートや人工的なタイル、セメント板等で形成されている。このパネル１の縦幅寸法Ｌ3 と横幅寸法Ｌ4 は所望に設定するものであるが、例えばＬ3 を２９０ｍｍ、Ｌ4 を６００ｍｍに設定する。また板厚は約１１ｍｍ前後である。
【００２１】
また、パネル１の表面には、このパネル１が複数枚のパネル（ふき材）が連結しているように、縦方向の凹状の溝２が、パネル１の横方向（左右方向）において所定の間隔で形成されている。図の実施例では３本形成されている。この溝２とパネル１の両側とパネル１の下端部１ｃには、石板を割った端のような凹凸面の模様１ｄが形成されている。
【００２２】
３は上記パネルの表裏方向に貫通形成した釘穴で、パネルの上側、すなわち、該パネル１を屋根上に配置した場合に屋根の流れ方向の上側に位置する部分に形成されている。
【００２３】
４は止水材で、パネル１と一体成形や弾性を有するゴム系材料により角棒状に形成され、上記釘穴３の下側部に位置してパネル１の横方向の略全長に亘って設けられている。尚、この止水材３はコーキングでもよい。
【００２４】
また、該止水材４の両端４ａは、パネル１の両端１ａよりも内側に位置し、止水材４の両端部に切欠部（止水材４がない部分）５が形成されている。
【００２５】
７は排水路を形成する連結板で、ステンレス板、銅板、ガルバリウム板等の金属板或いはその他の腰のある板材で形成されている。
【００２６】
該連結板７の横幅Ｌ５は、所望に設定されているが、例えば１００ｍｍに設定する。
該連結板７の縦幅寸法は上記パネル１の縦幅寸法Ｌ3よりも若干短く設定されている。また、該連結板７の両側端には、該連結板７を表面側へ折り返してなる水返し８，８が縦方向の全長に亘って形成されている。
【００２７】
そして、該連結板７は、図２に示すように、その一方の水返し８を、前記パネル１における横方向の一側の下面に形成した切欠部９に嵌合し、その水返し８の上面を接着剤によりパネル１に接着して、パネル１に固設されている。また、前記水返し８と切欠部９の高さＬ６は略同一に形成され、連結板７の下面とパネル１の下面が同一面上に位置するようになっている。
【００２８】
このように連結板７をパネル１に設けることにより、連結板７は、横方向（左右方向）の約半分がパネル１の側端１ａより突出し、かつ、連結板７の両端に水返し８を有する排水路７ａが形成される。
【００２９】
図４において、１０は止着具を示し、金属の棒材等からなり、その挿通部１０ａの基端（後端）に垂直状で先が尖った釘状の打込み部１０ｂが折曲して一体に形成され、先端に上側へ折曲した後に後方へ折曲したＵ字状のフック部１０ｃが一体に形成されている。この止着具１０の挿通部１０ａの長さは、図３に示すように、パネル１を屋根にふいた場合における重ね量Ｌ７より若干長い寸法に形成され、また、打込み部１０ｂはパネル１の板厚より十分長く形成され、フック部１０ｂの内側間隔Ｌ８は該フック部１０内にパネル１が嵌入するように形成されている。
【００３０】
次に上記の屋根ふき用パネルを使用して屋根をふく作業について説明する。
屋根下地（野地板など、パネル１を固定する部材）の上面における軒先部に位置して上記１枚のパネル１Ａを配置し、釘穴３を通じて釘を打ち込み、そのパネル１を固定する。
【００３１】
次で、図３に示すように、上記固定したパネル１Ａにおける連結板７の突出した左半分の上に、別のパネル１Ｂの側部を、前記連結板７の突出した側の水返し８の上面に接着剤を塗布して固着するとともに、該別のパネル１Ｂを釘穴３を通じて野地板に固着する。
【００３２】
このようにして、下段側の多数のパネルを、屋根の流れ方向と直交する方向（横方向）に一連に配置する。
【００３３】
次に、前記下段のパネル１Ａと１Ｂの接合端１１において、止着具１０を図４に示すように配置して、その打込み部１０ｂを、パネル１Ａの上縁１ｂの外側において野地板などの下地部材に打ち込む。このとき、パネル１Ａ，１Ｂには、前記の切欠部５を形成したので、この切欠部５を止着具１０の挿通部１０ａが通り、止着具１０が止水材４と干渉せず、また、止着具１０が止水材４の上面より突出しない。
【００３４】
このような作業を繰り返してパネルを屋根の流れ方向と直交する方向（横方向）の全長に亘ってふく。
【００３５】
次で、上記のようにふかれたパネル１における屋根の流れ方向（縦方向）の上流側に、図３に示すように、上段のパネル１ を、その下部が下段のパネル１Ａ，１Ｂ における上縁側の上面に重なるように配置する。このとき、上段のパネル１Ｄの左右方向の中央部が先にふかれた下段のパネル相互の接合部１１（図３においてはパネル１Ａの右側の接合部１１）に位置するように配置し、かつ、上段のパネル１Ｃの下端部１ｃを前記止着具１０におけるフック部１０ｃに挿入して係止させる。
【００３６】
そして、この上段のパネル１Ｃに対し、別の上段のパネル１Ｄを、前記下段のパネルのふき方と同じようにしてふいて連結し、多数の上段パネルを一連に配置する。
【００３７】
そして、前記の作業を繰り返して屋根の全面にパネルをふく。
以上のようにふかれた各パネル１は、屋根の流れ方向の下から吹き上げる風力に対して、横方向に隣接するパネル相互が連結板７を介して連結されていることによる浮き上がり阻止荷重と、上段のパネルの下部が下段のパネルの上面に載置されていることによる浮き上がり阻止荷重と、更に、止着具１０によってパネルの下部が保持されていることによる浮き上がり阻止荷重が協働して作用し、大きな吹き上げ風力に対して、パネルの吹き上がりを防止できる。
【００３８】
また、パネル相互に接合部１１から浸入した雨水は、連結板７により下方へ排出される。
【００３９】
なお、前記止着具１０は、金属棒を折曲して一体に形成したが、薄い金属板を折曲して形成してもよい。
【００４０】
また、連結板７とパネル１との連結は、これらを接着剤で直接固着してもよく、また、両面接着テープなどで接着固定してもよい。
【図面の簡単な説明】
【００４１】
【図１】本発明の実施例を示すパネルの斜視図。
【図２】図１におけるＡ−Ａ線断面図。
【図３】本発明のパネルの重合状態を示す斜視図。
【図４】本発明における止着具の配置状態を示す拡大斜視図。
【図５】従来のパネルのふき状態を示す平面図。
【図６】従来の他の例のパネルを示す斜視図。
【図７】図６のパネルをふいた状態を示す平面図。
【符号の説明】
【００４２】
１，１Ａ〜１Ｅ  パネル
７      連結板
１ｂ    上縁側
１ｃ    下縁側
１０    止着具
１０ａ  挿通部
１０ｂ  打込み部
１０ｃ  フック部
【図１】
2006348547.tif 000003
【図２】
2006348547.tif 000004
【図３】
2006348547.tif 000005
【図４】
2006348547.tif 000006
【図５】
2006348547.tif 000007
【図６】
2006348547.tif 000008
【図７】
2006348547.tif 000009